(57)【要約】【課題】偏向および分布のムラの抑制を狙った燃料噴射をすることで、筒内における混合気をより均質にすることができる内燃機関の制御装置を提供する。【解決手段】１つの気筒ごとに吸気バルブ１０の中心方向に設置された第１の燃料噴射弁１４ａと、吸気バルブ１０の中心方向から下向きに設置された第２の燃料噴射弁１４ｂを備え、第１の燃料噴射弁１４ａによる燃料噴射を、吸気バルブ１０の開弁中において、噴霧滞留噴射開始時期で噴射を開始し、噴霧偏向開始時期で噴射を終了する燃料噴射と、残りの噴射量を噴霧流入最終時期で噴射を終了する燃料噴射とし、第２の燃料噴射弁１４ｂによる燃料噴射を、吸気バルブ１０の開弁中において、噴霧偏向開始時期で噴射を終了する燃料噴射以降で、且つ、吸気バルブ通過高流速時期で燃料噴射を開始燃料噴射とした。【選択図】図１
2018168708.tif 000002
【特許請求の範囲】
【請求項１】
内燃機関の燃焼室に空気を吸入する第１および第２の吸気ポートと、
上記燃焼室と上記第１および第２の吸気ポートとの間を開閉する吸気バルブと、
上記第１および第２の吸気ポートに一つずつ設置されて燃料を噴射する燃料噴射弁と、を備え、
上記燃料噴射弁を、燃料噴射方向が上記吸気バルブの中心に向けて設置された第１の燃料噴射弁と、上記第１の燃料噴射弁による燃料噴射方向より、上記第１および第２の吸気ポートを通過する吸気流動と燃料噴霧の衝突する角度が垂直方向に近づくように燃料噴射方向をずらして設置された第２の燃料噴射弁で構成した内燃機関の制御装置において、
上記内燃機関の運転状態に応じて上記吸気バルブを通過する流速を推定する吸気バルブ通過流速推定手段と、
上記吸気バルブの通過流速が、上記燃焼室から上記第１および第２の吸気ポートへの逆流が最も強くなる流速となる時期を噴霧滞留噴射開始時期として算出する噴霧滞留噴射開始時期算出手段と、
上記吸気バルブの通過流速が、上記第１の燃料噴射弁による燃料噴霧が吸気流動によって上記吸気バルブの円周方向に均一に流入しなくなることを示す予め設定された噴霧偏向流速を超える時期を噴霧偏向開始時期として算出する噴霧偏向開始時期算出手段と、
上記吸気バルブの通過流速が、上記吸気バルブの閉弁直前において燃料噴霧が筒内に流入する限界の流速を示す予め設定された噴霧流入限界流速を下回る時期を噴霧流入最終時期として算出する噴霧流入最終時期算出手段と、
上記吸気バルブの通過流速が、高流速であり燃料噴霧が強く流されることを示す予め設定された吸気バルブ通過高流速下限値を越える時期を吸気バルブ通過高流速時期として算出する吸気バルブ通過高流速時期算出手段と、
上記第１の燃料噴射弁による燃料噴射を、上記吸気バルブの開弁中において、上記噴霧滞留噴射開始時期で噴射を開始し、上記噴霧偏向開始時期で噴射を終了する燃料噴射と、残りの噴射量を上記噴霧流入最終時期で噴射を終了する燃料噴射とする第１燃料噴射弁噴射制御手段と、
上記第２の燃料噴射弁による燃料噴射を、上記吸気バルブの開弁中において、上記噴霧偏向開始時期で噴射を終了する燃料噴射以降で、且つ、上記吸気バルブ通過高流速時期で燃料の噴射を開始する燃料噴射とする第２燃料噴射弁噴射制御手段と、
を備えたことを特徴とする内燃機関の燃料噴射制御装置。
【請求項２】
上記吸気バルブの通過流速が、上記吸気バルブ通過高流速下限値を下回る時期を吸気バルブ通過高流速終了時期として算出する吸気バルブ通過高流速終了時期算出手段を備えると共に、
上記第２燃料噴射弁噴射制御手段を、上記噴霧偏向開始時期で噴射を終了する燃料噴射以降で、且つ、上記吸気バルブ通過高流速時期で噴射量の所定割合の噴射を開始する燃料噴射と、残りの噴射量を上記吸気バルブ通過高流速終了時期で噴射を終了する燃料噴射とすることを特徴とする請求項１に記載の内燃機関の燃料噴射制御装置。
【発明の詳細な説明】
【技術分野】
【０００１】
この発明は、内燃機関の筒内に設置される燃料噴射弁における吸気行程中の燃料噴射を制御する内燃機関の燃料噴射制御装置に関するものである。
【背景技術】
【０００２】
近年において、大気汚染や石油事情の変動などに伴い、内燃機関（以下「エンジン」ともいう。）の排気ガス規制および燃費の向上が強く要求されている。エンジンの排気ガス規制および燃費を向上する方法として、エンジンにおける混合気の燃焼状態を向上することが注目されている。
【０００３】
混合気の燃焼状態を向上するためには、混合気を燃焼させる直前までに空気と燃料を均質に混合することで効率的に燃焼をさせる必要がある。空気と燃料を均質に混合する方法の一つとして、吸気バルブ開弁中である吸気行程中に筒内に流入するタイミングで吸気ポートに設置した燃料噴射弁から燃料を噴射させることで、空気と燃料の混合開始から燃焼させる時期までの時間を長くとり、且つ、筒内に直接に空気と燃料を流入させることで、吸気ポート壁面に燃料を衝突させる量を少なくし、より均質な混合気を形成させる技術が周知である。
【０００４】
また、筒内に複数設置されている吸気ポートの集合部から１つの燃料噴射弁で各吸気ポートに燃料を噴射させるより、各吸気ポートに燃料噴射弁を設置して燃料を噴射させることで、燃料噴霧方向を筒内に直接流入するような方向に噴射でき、吸気ポート壁面に付着する燃料を抑制し、且つ吸気ポートにおける燃料分布のムラを抑制させることで、混合気をより均質にする技術も周知である。
【０００５】
一方、吸気ポートから筒内に流入する空気に関して、内燃機関の運転状態で空気の流れの速さが変化するが、同じ運転状態においても、筒内に混合気を流入させる吸気バルブの開閉タイミングなどにより、１サイクルの吸気行程中において空気の流れの速さが変化する。このため、吸気行程中に燃料を噴射すると空気の流れの速さの変化によって燃料噴射弁から噴射している噴霧形状および噴射された後の燃料が流されてしまい、吸気ポート壁面に衝突して付着が増加したり、燃料分布のムラが増加することで、最終的に筒内に形成される混合気が均質になりにくくなってしまう。よって、この空気の流れを考慮した制御が必要となる。
【０００６】
例えば、特開２０１５−２１２５３２号公報（特許文献１）には、各吸気ポートに２つの異なる貫徹力の燃料噴射弁を設置し、吸気行程時に噴射する場合には相対的に貫徹力が強い燃料噴射弁から燃料を噴射して空気流動の影響を抑制する技術が記載されている。また、特開２０１４−１１４７１８号公報（特許文献２）には、吸気ポート内のガス流速の大きさに応じて、吸気ポート内の空気の流れが順流（吸気ポートから筒内への流れ）になるタイミングに燃料噴射する技術が記載されている。
【先行技術文献】
【特許文献】
【０００７】
【特許文献１】特開２０１５−２１２５３２号公報
【特許文献２】特開２０１４−１１４７１８号公報
【発明の概要】
【発明が解決しようとする課題】
【０００８】
ここで、１サイクルにおける吸気開弁中の吸気ポートの空気の流れである吸気バルブ通過流速の変化を図１０で説明する。図１０において、吸気開弁中に噴射された燃料の挙動の傾向および筒内混合気均質性を向上させる方法を（Ａ）から（Ｄ）のタイミングに分けて考える。また、（Ａ）から（Ｄ）に分けられたタイミングでの空気と燃料噴射の衝突のイメージを図１１（Ａ）から（Ｄ）に示す。
【０００９】
まず、図１０および図１１の（Ａ）では、吸気バルブがＴＤＣ（ＴＯＰ ＤＥＡＤ ＣＥＮＴＥＲ：上死点）前に開弁し、筒内から吸気ポートへの逆流（吹き戻し）が発生するタイミングである。そのため、この領域において噴霧の付着、偏向および分布のムラを抑制して筒内に均質な混合気を形成するには、吹き戻し期間中に吹き戻しに対向するような噴射方向（図１１の矢印（ア））に燃料を噴射して噴霧を吸気バルブ近傍に滞留させて、吹き戻し終了後に素早く筒内に流入させる必要がある。
【００１０】
空気と燃料の混合開始から燃焼させる時期までの時間を長くとることが混合気均質性の向上に繋がるため、吹き戻し終了後のタイミングである程度燃料が蒸発して既に形成された混合気や未蒸発の燃料噴霧を素早く筒内に流入させることが重要である。
ここで、吹き戻しより前に燃料が噴射されると、吹き戻しによって燃料が吸気ポート上流へ流され、吹き戻し後の混合気流入が遅れてしまうことになる。また、吹き戻し後の燃料噴射では、吹き戻し直後に空気のみが流入することになるため、これも混合気流入が遅れてしまうことになる。そのため、吹き戻し直後に混合気を流入させるためには、吸気バルブ近傍に噴霧を滞留させる必要がある。
【００１１】
図１０および図１１の（Ｂ）では、吸気バルブのリフト量が増加し、吸気バルブ通過流速が高くなるため、吸気ポート上部へ向かう流動が強くなるタイミングである。そのため、筒内に均質な混合気を形成するには、噴霧を若干吸気ポート下部へ向けた噴射方向（図１１の矢印（イ））で燃料を噴射して噴霧を吸気バルブ中心近傍から筒内に混合気を流入させる必要がある。なお、ここで、吸気ポート上部へ向かう流動に打ち勝つように噴霧を勢いよく噴射させる方法もあるが、勢いが強くなった分、吸気ポート、吸気バルブおよび筒内の壁面へ噴霧が衝突し、燃料付着が増加する可能性があるため、流動に打ち勝つよりも、流動に流された上で噴霧を狙いの位置、タイミングで筒内に導く方法が望ましい。
【００１２】
図１０および図１１の（Ｃ）では、吸気バルブのリフト量が減少し、吸気バルブ通過流速が弱まるため、筒内への混合気の流入が少なくなるタイミングである。そのため、筒内に均質な混合気を形成するには、噴霧を吸気バルブへ向けた噴射方向（図１１の矢印（ウ））で、噴射時のペネトレーションの勢いで筒内に混合気を余すことなく流入させる必要がある。
【００１３】
図１０および図１１の（Ｄ）では、ＢＤＣ（ＢＯＴＴＯＭ ＤＥＡＤ ＣＥＮＴＥＲ：下死点）を越えた後に発生する吹き戻しが発生するタイミングである。しかし、この領域ではこれ以上混合気が流入されないため、次サイクルでの流入になる。未蒸発燃料が次サイクルまでに吸気ポートに付着し、その結果次サイクルでの混合気均質性を悪化させてしまうため、このタイミングでは燃料噴射を行わないことが望ましい。
【００１４】
更に、（Ａ）、（Ｂ）、（Ｃ）いずれかのタイミングのみの噴射であると、そのタイミングのみでは混合気均質性が向上するが、そのタイミング以外においてはほとんど空気だけの薄い混合気が筒内に流入することとなるため、噴射時に形成された混合気との濃度差が大きくなり、着火直前における混合気均質性を向上することができない。そのため、着火直前における混合気均質性の向上には、（Ａ）、（Ｂ）、（Ｃ）全てのタイミングで燃料噴射を行い、吸気開弁中に筒内に絶え間なく混合気を流入させる必要がある。
【００１５】
以上のことから、図１０および図１１の（Ａ）、（Ｂ）、（Ｃ）において空気と噴霧の衝突方向がそれぞれ異なることを考慮し、全てのタイミングで噴霧の付着、偏向および分布のムラの抑制を狙った燃料噴射をすることにより、筒内における混合気をより均質にすることができ、その結果、排ガス、燃費、およびドライバビリティの向上が可能となることがわかった。
【００１６】
ここで、特許文献１に記載の吸気行程噴射時に貫徹力が相対的に強い燃料噴射弁からのみの噴射による制御方法では、吸気バルブ開弁中に吸気バルブに向けて直接噴霧が流入するため、吸気ポート、吸気バルブおよび筒内の壁面に噴霧が勢いよく衝突することで燃料の付着が多くなり、その結果着火直前での混合気の均質性が悪くなってしまう。
【００１７】
また、特許文献２に記載の吸気ポート内の流れが順流になるタイミングに燃料噴射するように制御する方法では、吹き戻し直後の順流時に燃料噴射を開始するため、吹き戻し直後に空気のみが流入することになる。また、吸気ポートから流入するのは未蒸発の燃料噴霧と空気であり、燃料と空気は筒内に流入してから混合されることとなるため、空気と燃料の混合開始から燃焼させる時期までの時間が短くなり、その結果着火直前での混合気の均質性が悪くなってしまう。
【００１８】
この発明は上記の課題に鑑みてなされたものであり、燃焼室に空気を吸入する第１および第２の吸気ポートに、燃料噴射方向を吸気バルブに向けた第１の燃料噴射弁と、第１の燃料噴射弁による燃料噴射方向より、吸気ポートを通過する吸気流動と燃料噴霧の衝突する角度が垂直方向に近づくように燃料噴射方向をずらした第２の燃料噴射弁を設置し、それぞれの噴射しているタイミングでの混合気の均質性を向上すると共に、最終的に着火直前での混合気均質性を向上することができる内燃機関の燃料噴射制御装置を提供することを目的とする。
【課題を解決するための手段】
【００１９】
この発明に係る内燃機関の燃料噴射制御装置は、内燃機関の燃焼室に空気を吸入する第１および第２の吸気ポートと、上記燃焼室と上記第１および第２の吸気ポートとの間を開閉する吸気バルブと、上記第１および第２の吸気ポートに一つずつ設置されて燃料を噴射する燃料噴射弁と、を備え、
上記燃料噴射弁を、燃料噴射方向が上記吸気バルブの中心に向けて設置された第１の燃料噴射弁と、上記第１の燃料噴射弁による燃料噴射方向より、上記第１および第２の吸気ポートを通過する吸気流動と燃料噴霧の衝突する角度が垂直方向に近づくように燃料噴射方向をずらして設置された第２の燃料噴射弁で構成した内燃機関の制御装置において、
上記内燃機関の運転状態に応じて上記吸気バルブを通過する流速を推定する吸気バルブ通過流速推定手段と、上記吸気バルブの通過流速が、上記燃焼室から上記第１および第２の吸気ポートへの逆流が最も強くなる流速となる時期を噴霧滞留噴射開始時期として算出する噴霧滞留噴射開始時期算出手段と、上記吸気バルブの通過流速が、上記第１の燃料噴射弁による燃料噴霧が吸気流動によって上記吸気バルブの円周方向に均一に流入しなくなることを示す予め設定された噴霧偏向流速を超える時期を噴霧偏向開始時期として算出する噴霧偏向開始時期算出手段と、上記吸気バルブの通過流速が、上記吸気バルブの閉弁直前において燃料噴霧が筒内に流入する限界の流速を示す予め設定された噴霧流入限界流速を下回る時期を噴霧流入最終時期として算出する噴霧流入最終時期算出手段と、上記吸気バルブの通過流速が、高流速であり燃料噴霧が強く流されることを示す予め設定された吸気バルブ通過高流速下限値を越える時期を吸気バルブ通過高流速時期として算出する吸気バルブ通過高流速時期算出手段と、上記第１の燃料噴射弁による燃料噴射を、上記吸気バルブの開弁中において、上記噴霧滞留噴射開始時期で噴射を開始し、上記噴霧偏向開始時期で噴射を終了する燃料噴射と、残りの噴射量を上記噴霧流入最終時期で噴射を終了する燃料噴射とする第１燃料噴射弁噴射制御手段と、上記第２の燃料噴射弁による燃料噴射を
、上記吸気バルブの開弁中において、上記噴霧偏向開始時期で噴射を終了する燃料噴射以降で、且つ、上記吸気バルブ通過高流速時期で燃料の噴射を開始する燃料噴射とする第２燃料噴射弁噴射制御手段と、を備えたことを特徴とする。
【発明の効果】
【００２０】
この発明に係る内燃機関の燃料噴射制御装置によれば、上記構成により、吸気行程噴射モードにおいて、吸気バルブ開弁中に変化する吸気バルブ通過流速に応じて、噴霧偏向開始時期で噴射を終了する燃料噴射によって吹き戻し期間中に噴霧を吸気バルブ近傍に滞留させて吹き戻し終了後に素早く筒内に流入させ、吸気バルブ通過高流速時期で燃料の噴射を開始する燃料噴射によって吸気バルブ中心から外した方向に噴射して強い流動で噴霧を吸気バルブ中心へと導くことで筒内への混合気流入の偏りを抑制させ、残りの噴射量を上記噴霧流入最終時期で噴射を終了する燃料噴射によって比較的弱まった流動によって吸気ポートに残留する燃料噴霧を抑制させることで各噴射時における混合気均質性を向上することができる。また、各噴射時に均質性が向上した混合気が偏りのないタイミングで筒内に流入させることができるため、着火直前の筒内における混合気をより均質にすることができ、その結果排ガス、燃費、およびドライバビリティを向上することができる。
【図面の簡単な説明】
【００２１】
【図１】この発明の実施の形態１に係る内燃機関の燃料噴射制御装置を含むシステム全体を示す構成図である。
【図２】この発明の実施の形態１に係る内燃機関の燃料噴射制御装置の第１燃料噴射弁と第２燃料噴射弁を示す構成図である。
【図３】図２のＡ−Ａ線断面図である。
【図４】図２のＢ−Ｂ線断面図である。
【図５】この発明の実施の形態１に係る内燃機関の燃料噴射制御装置の構成並びに機能を示すブロック図である。
【図６】この発明の実施の形態１に係る内燃機関の燃料噴射制御装置の第１燃料噴射弁噴射制御手段、第２燃料噴射弁噴射制御手段の動作を示すフローチャートである。
【図７】この発明の実施の形態１に係る内燃機関の燃料噴射制御装置の吸気バルブ通過流速推定手段、噴霧滞留噴射開始時期算出手段、噴霧偏向開始時期算出手段、噴霧流入最終時期算出手段、吸気バルブ通過高流速時期算出手段、吸気バルブ通過高流速終了時期算出手段の動作を示すフローチャートである。
【図８】この発明の実施の形態１に係る内燃機関の燃料噴射制御装置のクランク角と吸気バルブ位相角より求まる吸気バルブ通過流速の特性を示したマップを示す図である。
【図９】この発明の実施の形態１に係る内燃機関の燃料噴射制御装置の第１燃料噴射弁および第２燃料噴射弁の燃料噴射時期の挙動を示すタイミングチャート図である。
【図１０】吸気バルブ開弁中の吸気バルブ通過流速の挙動の例を示した図である。
【図１１】図１０に示した（Ａ）、（Ｂ）、（Ｃ）、（Ｄ）の各タイミングにおける燃料噴霧と空気流動の衝突の傾向を示したイメージ図である。
【発明を実施するための形態】
【００２２】
以下、この発明に係る内燃機関の燃料噴射制御装置の好適な実施の形態について図面を参照して説明する。なお、各図において同一または相当部分には、同一符号を付して説明する。
【００２３】
実施の形態１．
以下、この発明の実施の形態１に係る内燃機関の燃料噴射制御装置について図面を参照して説明するが、この実施の形態１においては、吸気バルブ開弁中に燃料噴射する条件が成立中に、第１の燃料噴射弁において第１の燃料噴射のための第１の燃料噴射開始時期と第１の燃料噴射期間、および第４の燃料噴射のための第４の燃料噴射終了時期と第４の燃
料噴射期間を設定し、第２の燃料噴射弁において第２の燃料噴射のための第２の燃料噴射開始時期と第２の燃料噴射期間、および第３の燃料噴射のための第３の燃料噴射終了時期と第３の燃料噴射期間を設定する実施形態について説明する。
【００２４】
図１は、この発明の実施の形態１に係る内燃機関の燃料噴射制御装置を含むシステム全体を示す構成図である。なお、一般的に、エンジンには複数のシリンダが設けられているが、図１においてはそのうちの１つのシリンダについて説明する。
【００２５】
図１において、エンジン１には筒状のシリンダ２が設けられている。シリンダ２の軸線方向に往復自在なピストン３が設けられている。これらシリンダ２とピストン３によって、燃料と空気との混合気が燃焼する燃焼室４が形成されている。また、ピストン３の往復運動を回転運動に変換するクランク軸５が設けられており、クランク軸５の回転角度（クランク角）を検出するクランク角センサ６が設けられている。また、シリンダ２には、エンジン１を冷却するための冷却水（図示せず）の温度に応じた電圧を出カする水温センサ７が設けられている。
【００２６】
シリンダ２の内部（以下「筒内」という。）に空気を吸入する吸気マニホールド８と、燃焼室４の内部で混合気が燃焼して生成された排気ガスを排出する排気マニホールド９とがシリンダ２に接続されている。また、シリンダ２には、燃焼室４と吸気マニホールド８との間を開閉する吸気バルブ１０と、燃焼室４と排気マニホールド９との間を開閉する排気バルブ１１とがそれぞれ２つ（図１では１つずつのみ図示）が取り付けられている。
【００２７】
吸気バルブ１０および排気バルブ１１を適切な開弁時期および適切なリフト量で制御するために、吸気バルブ１０および排気バルブ１１の上部には、回転して各バルブを押し下げるカム（図示せず）を含んだ吸気可変バルブ機構１２と排気可変バルブ機構１３がそれぞれ設置されている。吸気可変バルブ機構１２と排気可変バルブ機構１３により、吸気バルブ１０および排気バルブ１１の位相角をずらし、バルブオーバーラップ量を制御することができる。また、吸気可変バルブ機構１２と排気可変バルブ機構１３に吸気バルブ１０および排気バルブ１１の位相角を検出するカム角センサ（図示せず）が設けられている。
【００２８】
吸気マニホールド８と吸気バルブ１０の間には、適切なタイミングで燃料を噴射する燃料噴射弁１４が取り付けられている。ここで、燃料噴射弁１４の詳細について説明する。
図２は燃料噴射弁１４の詳細を示す図である。図２において、吸気マニホールド８には、空気および燃料を供給するための流路である第１の吸気ポート８ａおよび第２の吸気ポート８ｂが設けられており、第１の吸気ポート８ａおよび第２の吸気ポート８ｂのそれぞれに対し、第１の燃料噴射弁１４ａと第２の燃料噴射弁１４ｂが取り付けられている。更に、第１の燃料噴射弁１４ａは、図２のＡ−Ａ断面図である図３に示すように、吸気バルブ１０の中心に向けて設置されている。一方、第２の燃料噴射弁１４ｂは、図２のＢ−Ｂ断面図である図４に示すように、吸気バルブ１０の中心から若干シリンダ２の壁面方向に向けて設置されている。
【００２９】
図１に戻り、シリンダ２の頂部には、燃焼室４に形成された混合気に火花点火する点火プラグ１５が取り付けられており、点火プラグ１５に高電圧エネルギを供給する点火コイル１６が取り付けられている。
【００３０】
吸気マニホールド８の上流側には、燃焼室４に吸入される空気を一時的にためるサージタンク１７が接続されており、サージタンク１７の上流側には、スロットルバルブ１８が接続されている。スロットルバルブ１８には、バルブ開度に応じた電圧を出力するスロットルバルブ開度センサ（図示せず）が設けられている。また、スロットルバルブ１８の下流側には、ブースト圧に応じた電圧を出力するブースト圧センサ１９が設けられている。
【００３１】
また、排気マニホールド９の下流側には、排気ガスの温度中の有害物質を取り除く触媒装置（図示せず）が接続されており、触媒装置の下流側には、排気ガスを外部に排気するテールパイプ（図示せず）が接続されている。
【００３２】
エンジン制御用電子コントロールユニット（以下「ＥＣＵ」という。）２０は、演算処理をするＣＰＵ、プログラムデータや固定値データを記憶するＲＯＭ、格納されているデータを更新して順次書き換えられるＲＡＭ、およびＥＣＵ２０の電源が切られても格納されているデータを保持するバックアップＲＡＭを有するマイクロコンピュータ（図示せず）と、アクチュエータ駆動のための駆動回路（図示せず）と、各種信号の入出力を行うＩ／Ｏインターフェース（図示せず）を備えている。
【００３３】
図５は、燃料噴射制御装置の構成並びに機能を示すブロック図である。燃料噴射制御装置は、吸気バルブ通過流速推定手段２１、噴霧滞留噴射開始時期算出手段２２、噴霧偏向開始時期算出手段２３、噴霧流入最終時期算出手段２４、吸気バルブ通過高流速時期算出手段２５、吸気バルブ通過高流速終了時期算出手段２６、第１燃料噴射弁噴射制御手段２７、第２燃料噴射弁噴射制御手段２８を備えている。
【００３４】
ＥＣＵ２０のメモリには、上記の各手段、即ち、吸気バルブ通過流速推定手段２１、噴霧滞留噴射開始時期算出手段２２、噴霧偏向開始時期算出手段２３、噴霧流入最終時期算出手段２４、吸気バルブ通過高流速時期算出手段２５、吸気バルブ通過高流速終了時期算出手段２６、第１燃料噴射弁噴射制御手段２７、第２燃料噴射弁噴射制御手段２８がソフトウェアとして記憶されている。また、ＥＣＵ２０には、水温センサ７、ブースト圧センサ１９、スロットルバルブ開度センサからの電圧出力値がＡ／Ｄ変換されて入カされ、これらＡ／Ｄ変換された各出カ値は、それぞれ水温Ｔｗ、ブースト圧Ｐｂ、スロットル開度Ｔｈとして上記各手段での演算に用いられる。
【００３５】
ＥＣＵ２０にはカム角センサの信号が割り込み入力されて、吸気バルブ位相角ＶＶＴＩと排気バルブ位相角ＶＶＴＥが演算される。また、ＥＣＵ２０にはクランク角センサ６の信号が割り込み入力されて、クランク角ＣＡが演算され、ＥＣＵ２０に内蔵されたタイマーとクランク角センサ６の信号とからエンジン回転数Ｎｅが演算される。
【００３６】
吸気バルブ通過流速推定手段２１は、予めクランク角ＣＡおよび吸気バルブ位相角ＶＶＴＩに応じて設定されているマップを参照して吸気バルブ通過流速を推定する。具体的な演算方法は、後述する図７を用いた制御の流れの説明で示す。
【００３７】
噴霧滞留噴射開始時期算出手段２２は、吸気バルブ通過流速ＶＶが下向きのピーク、すなわち最小値であれば、第１の燃料噴射開始時期ＳＯＩ１に現在のクランク角ＣＡを代入して演算される。具体的な演算方法は、後述する図７を用いた制御の流れの説明で示す。
【００３８】
噴霧偏向開始時期算出手段２３は、吸気バルブ通過流速ＶＶが予め設定してある噴霧偏向流速Ｔｈ１を超した場合、第１の燃料噴射終了時期ＥＯＩ１に現在のクランク角ＣＡを代入して演算される。具体的な演算方法は、後述する図７を用いた制御の流れの説明で示す。
【００３９】
噴霧流入最終時期算出手段２４は、吸気バルブ通過流速ＶＶが噴霧流入最終時期Ｔｈ３を下回った場合、第４の燃料噴射終了時期ＥＯＩ４に現在のクランク角ＣＡを代入して演算される。具体的な演算方法は、後述する図７を用いた制御の流れの説明で示す。
【００４０】
吸気バルブ通過高流速時期算出手段２５は、吸気バルブ通過流速ＶＶが予め設定してあ
る吸気バルブ通過高流速下限値Ｔｈ２を超した場合、第２の燃料噴射開始時期ＳＯＩ２に現在のクランク角ＣＡを代入して演算される。具体的な演算方法は、後述する図７を用いた制御の流れの説明で示す。
【００４１】
吸気バルブ通過高流速終了時期算出手段２６は、吸気バルブ通過流速ＶＶが予め設定してある吸気バルブ通過高流速下限値Ｔｈ２を下回った場合、第３の燃料噴射終了時期ＥＯＩ３に現在のクランク角ＣＡを代入して演算される。具体的な演算方法は、後述する図７を用いた制御の流れの説明で示す。
【００４２】
第１燃料噴射弁噴射制御手段２７は、吸気バルブ開弁中において、第１の燃料噴射開始時期ＳＯＩ１から第１の燃料噴射終了時期ＥＯＩ１の期間噴射する第１の燃料噴射と、残りの噴射量を第４の燃料噴射終了時期で終了するように噴射する第４の燃料噴射が設定される。具体的な演算方法は、後述する図６を用いた制御の流れの説明で示す。
【００４３】
第２燃料噴射弁噴射制御手段２８は、吸気バルブ開弁中において、第２の燃料噴射開始時期ＳＯＩ２から噴射量の所定割合を噴射する第２の燃料噴射と、残りの噴射量を第３の燃料噴射終了時期で終了するように噴射する第３の燃料噴射が設定される。具体的な演算方法は、後述する図６を用いた制御の流れの説明で示す。
【００４４】
以下、上記構成の燃料噴射制御装置において、吸気行程噴射条件成立時、吸気バルブ通過流速ＶＶの挙動より第１の燃料噴射弁１４ａにおいて第１の燃料噴射のための第１の燃料噴射開始時期と第１の燃料噴射期間、および第４の燃料噴射のための第４の燃料噴射終了時期と第４の燃料噴射期間を設定し、第２の燃料噴射弁１４ｂにおいて第２の燃料噴射のための第２の燃料噴射開始時期と第２の燃料噴射期間、および第３の燃料噴射のための第３の燃料噴射終了時期と第３の燃料噴射期間を設定する動作について説明する。
【００４５】
まず、図６の第１および第２の燃料噴射弁制御ルーチンのフローチャートを参照しながら各動作を説明する。なお、この動作は、ＥＣＵ２０において所定クランク角度毎に割り込んで実行される割り込みルーチン内のサブルーチンとして実行される。また、本実施の形態においては所定クランク角度毎に割り込んで実行される割り込みルーチン内のサブルーチンとして実行されるが、所定時間周期のメインルーチン内のサブルーチンとして実行されても良い。
【００４６】
図６のステップＳ１０１において、現在吸気行程噴射制御の領域であるかを判定する。例えば、エンジン回転数Ｎｅやブースト圧Ｐｂに基づいてあらかじめ設定してある噴射制御マップを参照して噴射時期モードが決定される。
【００４７】
ステップＳ１０１において吸気行程噴射の制御領域として成立していないと判定された場合、ステップＳ１０２で初期化処理が実行される。ステップＳ１０２の初期化処理は、後述する第１の燃料噴射開始時期ＳＯＩ１、第１の燃料噴射終了時期ＥＯＩ１、第２の燃料噴射開始時期ＳＯＩ２、第３の燃料噴射終了時期ＥＯＩ３、第４の燃料噴射終了時期ＥＯＩ４、第１の燃料噴射期間ＤＯＩ１、第２の燃料噴射期間ＤＯＩ２、第３の燃料噴射期間ＤＯＩ３、第４の燃料噴射期間ＤＯＩ４にそれぞれ０を初期値として入力し、そのままサブルーチンを終了する。
【００４８】
ステップＳ１０１において吸気行程噴射の制御領域として成立した場合、ステップＳ１０３において現在のクランク角ＣＡが排気行程であるか判定される。ステップＳ１０３において条件が成立した場合、後述するステップＳ１０７およびステップＳ１０９にて第１および第２の燃料噴射弁１４ｂ制御値の演算が終了したため、次の吸気行程において、第１の燃料噴射弁１４ａから第１と第４の燃料噴射、第２の燃料噴射弁１４ｂから第２と第３の燃料噴射がされるよう設定される。このステップＳ１０４が第１燃料噴射弁噴射制御手段２７、第２燃料噴射弁噴射制御手段２８に相当する。その後、ステップＳ１０５において、前述のステップＳ１０２と同じ初期化処理を行い、ステップＳ１０６へ進む。ステップＳ１０３において条件が成立しない場合、次のステップＳ１０６へ進む。
【００４９】
ステップＳ１０６では、現在吸気バルブが開弁している最中であるか判定される。ステップＳ１０６において条件が成立した場合、ステップＳ１０７の噴射時期演算ルーチンへと進む。この噴射時期演算ルーチンの詳細は後述する。ステップＳ１０７の次にステップＳ１０８へ進む。また、ステップＳ１０６において条件が成立しない場合も次のステップＳ１０８へ進む。
【００５０】
ステップＳ１０８では、吸気バルブ開弁が終了した直後であるか判定される。ステップＳ１０８において条件が成立した場合、ステップＳ１０９で第１の燃料噴射期間ＤＯＩ１、第２の燃料噴射期間ＤＯＩ２、第３の燃料噴射期間ＤＯＩ３、第４の燃料噴射期間ＤＯＩ４が、１サイクル当たりの総燃料噴射期間をＤＯＩＴｏｔとしてそれぞれ次の式（１）から式（４）のように演算される。
ＤＯＩ１＝ＥＯＩ１−ＳＯＩ１          ・・・（１）
ＤＯＩ２＝（ＤＯＩＴｏｔ／２）／２    ・・・（２）
ＤＯＩ３＝（ＤＯＩＴｏｔ／２）／２    ・・・（３）
ＤＯＩ４＝ＤＯＩＴｏｔ／２−ＤＯＩ１  ・・・（４）
ＤＯＩＴｏｔ＝ｍａｐ（Ｎｅ，Ｐｂ）    ・・・（５）
なお、第２の燃料噴射期間ＤＯＩ２は、例えば第２の燃料噴射弁１４ｂから噴射する量の半分を所定の割合として演算している。また、１サイクル当たりの総燃料噴射期間ＤＯＩＴｏｔは予め設定してあるマップを用いてエンジン回転数Ｎｅおよびブースト圧Ｐｂから求める。また、第１の燃料噴射開始時期ＳＯＩ１および第１の燃料噴射終了時期ＥＯＩ１は、後述する噴射時期演算サブルーチン内で演算される。
【００５１】
ステップＳ１０９の次、もしくはステップＳ１０８で条件が成立しない場合には、サブルーチンを終了する。
【００５２】
次に、図６のステップＳ１０７にある燃料噴射演算ルーチンを図７のフローチャートを参照しながら、各動作を説明する。
【００５３】
まず、図７のステップＳ２０１において、クランク角ＣＡの吸気バルブ通過流速ＶＶを推定する。吸気バルブ通過流速ＶＶは、図８のように予めクランク角ＣＡおよび吸気バルブ位相角ＶＶＴＩに応じて設定されているマップを参照し、ブースト圧Ｐｂと予め設定してある重み付け係数Ｋ１を用いて式（６）で求められる。
ＶＶ＝ｍａｐ（ＣＡ，ＶＶＴＩ）×Ｐｂ×Ｋ１  ・・・（６）
このステップＳ２０１が吸気バルブ通過流速推定手段２１に相当する。
なお、ここでは、図８のマップや係数を用いて吸気バルブ通過流速ＶＶを推定したが、これに限らず、例えば、吸気バルブ近傍に流速を検出するセンサを取り付けることや、吸気ポートと筒内の圧力を検出し、その圧力差からバルブ通過流速を求めるなどの方法でも推定可能である。
【００５４】
次にステップＳ２０２において、吸気バルブリフト量がピーク前、すなわち吸気バルブが閉弁動作に移っていない状態であるか判定する。これは、予め設定してある吸気バルブのリフト量プロフィールもしくはリフト量までの所要角度と吸気バルブ位相角ＶＶＴよりピーク位置を演算し、クランク角ＣＡと比較することで判定できる。
【００５５】
ステップＳ２０２において条件が成立する場合はステップＳ２０３に進み、吸気バルブ
通過流速ＶＶが下向きのピーク、すなわち最小値をとっているか判定する。ステップＳ２０３で条件が成立した場合、ステップＳ２０４にて第１の燃料噴射開始時期ＳＯＩ１に現在のクランク角ＣＡを代入し、次のステップＳ２０５へ進む。ステップＳ２０３で条件が成立しない場合、そのままステップＳ２０５へ進む。
【００５６】
このステップＳ２０３およびステップＳ２０４が噴霧滞留噴射開始時期算出手段２２に相当し、吸気バルブ通過流速プロフィールＶＶが逆流となるタイミングで第１の燃料噴射弁１４ａから第１の燃料噴射を開始するようにしている。
【００５７】
ステップＳ２０５では、吸気バルブ通過流速ＶＶが予め設定してある噴霧偏向流速Ｔｈ１を超した（跨いだ）かどうか判定する。ステップＳ２０５で条件が成立した場合、ステップＳ２０６にて第１の燃料噴射終了時期ＥＯＩ１に現在のクランク角ＣＡを代入し、次のステップＳ２０７へ進む。ステップＳ２０５で条件が成立しない場合、そのままステップＳ２０７へ進む。
【００５８】
このステップＳ２０５およびステップＳ２０６が噴霧偏向開始時期算出手段２３に相当し、吸気バルブ通過流速ＶＶが噴霧形状への影響が強くなり、これ以上第１の燃料噴射弁１４ａから燃料を噴射しても噴霧が流されてしまう。そのタイミングで第１の燃料噴射弁１４ａからの第１の燃料噴射を終えるよう第１の燃料噴射終了時期としている。
なお、ここでは噴霧偏向流速を所定値としているが、これに限らず、例えば運転状態に応じて変更するようにマップで設定されているものを用いても良い。
【００５９】
ステップＳ２０７では、吸気バルブ通過流速ＶＶが予め設定してある吸気バルブ通過高流速下限値Ｔｈ２を超した（跨いだ）かどうか判定する。ステップＳ２０７で条件が成立した場合、ステップＳ２０８にて第２の燃料噴射開始時期ＳＯＩ２に現在のクランク角ＣＡを代入し、サブルーチンを終了する。ステップＳ２０７で条件が成立しない場合、そのままサブルーチンを終了する。
【００６０】
このステップＳ２０７およびステップＳ２０８が吸気バルブ通過高流速時期算出手段２５に相当し、吸気バルブ通過流速ＶＶが噴霧形状への影響が強くなり、設置時に若干下向きに設置した第２の燃料噴射弁１４ｂから噴射された燃料は、噴霧が流動に流されて吸気バルブ中心近傍に拡散するようになる。このタイミングで第２の燃料噴射弁１４ｂからの第２の燃料噴射を開始するよう第２の燃料噴射開始時期としている。
なお、ここでは吸気バルブ通過高流速下限値を所定値としているが、これに限らず、例えば運転状態に応じて変更するようマップで設定されているものを用いても良い。
【００６１】
ステップＳ２０９では、吸気バルブ通過流速ＶＶが予め設定してある吸気バルブ通過高流速下限値Ｔｈ２を下回ったかどうか判定する。ステップＳ２０９で条件が成立した場合、ステップＳ２１０にて第３の燃料噴射終了時期ＥＯＩ３に現在のクランク角ＣＡを代入し、次のステップＳ２１１へ進む。ステップＳ２０９で条件が成立しない場合、そのままステップＳ２１１へ進む。
【００６２】
このステップＳ２０９およびステップＳ２１０が吸気バルブ通過高流速終了時期算出手段２６に相当し、吸気バルブ通過流速ＶＶが噴霧形状への影響が弱くなり、これ以上第２の燃料噴射弁１４ｂから燃料を噴射しても噴霧が流されずに吸気ポート壁面に付着してしまう。そのタイミングで第２の燃料噴射弁１４ｂからの第３の燃料噴射を終えるよう第３の燃料噴射終了時期としている。
【００６３】
ステップＳ２１１では、吸気バルブ通過流速ＶＶが噴霧流入最終時期Ｔｈ３を下回ったかどうか判定する。ステップＳ２１１で条件が成立した場合、ステップＳ２１２にて第４
の燃料噴射終了時期ＥＯＩ４に現在のクランク角ＣＡを代入し、サブルーチンを終了する。ステップＳ２１１で条件が成立しない場合、そのままサブルーチンを終了する。
【００６４】
このステップＳ２１１およびステップＳ２１２が噴霧流入最終時期算出手段２４に相当し、吸気バルブ通過流速プロフィールＶＶが極端に弱く、これ以上第１の燃料噴射弁１４ａから燃料を噴射しても噴霧が筒内に流入しない。そのタイミングで第１の燃料噴射弁１４ａからの第４の燃料噴射を終えるよう第４の燃料噴射終了時期としている。
なお、ここでは噴霧流入最終時期を所定値としているが、これに限らず、例えば運転状態に応じて変更するようマップで設定されているものを用いても良い。
【００６５】
以上説明した実施の形態１の吸気行程噴射条件成立時、吸気バルブ通過流速ＶＶの挙動より第１の燃料噴射弁１４ａにおいて第１の燃料噴射のための第１の燃料噴射開始時期と第１の燃料噴射期間、および第４の燃料噴射のための第４の燃料噴射終了時期と第４の燃料噴射期間を設定し、第２の燃料噴射弁１４ｂにおいて第２の燃料噴射のための第２の燃料噴射開始時期と第２の燃料噴射期間、および第３の燃料噴射のための第３の燃料噴射終了時期と第３の燃料噴射期間を設定する実行例を図９のタイミングチャートを用いて説明する。
【００６６】
まず初めに、（Ａ）のタイミングにおいて、吸気バルブリフト量がピーク前であり、且つ、吸気バルブ通過流速が最小値となっていることから、第１の燃料噴射開始時期ＳＯＩ１が設定される。次に（Ｂ）のタイミングにおいて、吸気バルブ通過流速が逆流から順流に転じるタイミングであり、噴霧偏向流速Ｔｈ１を超えるタイミングであることから、第１の燃料噴射終了時期ＥＯＩ１が設定される。
【００６７】
吸気バルブリフト量の増加に伴い吸気バルブ通過流速が増加していき、（Ｃ）のタイミングにおいて、吸気バルブ通過高流速下限値Ｔｈ２を超えていることから、吸気バルブ通過流速ＶＶが噴霧形状への影響が強くなり、設置時に若干下向きに設置した第２の燃料噴射弁１４ｂから噴射された燃料は、噴霧が流動に流されて吸気バルブ中心近傍に拡散するようになるため、第２の燃料噴射弁１４ｂからの第２の燃料噴射開始時期ＳＯＩ２を設定する。
【００６８】
更に、（Ｄ）のタイミングでは、吸気バルブリフト量が閉弁挙動に移り、吸気バルブ通過高流速下限値Ｔｈ２を下回っていることから、これ以上第２の燃料噴射弁１４ｂから燃料を噴射しても噴霧が流されずに吸気ポート壁面に付着してしまうため、第２の燃料噴射弁１４ｂからの第３の燃料噴射を終えるよう第３の燃料噴射終了時期ＥＯＩ３を設定する。
【００６９】
最後に、（Ｅ）のタイミングにおいて、吸気バルブ通過流速ＶＶが噴霧流入最終時期Ｔｈ３を下回っており、吸気バルブ通過流速プロフィールＶＶが極端に弱く、これ以上第１の燃料噴射弁１４ａから燃料を噴射しても噴霧が筒内に流入しないため、第１の燃料噴射弁１４ａからの第４の燃料噴射を終えるよう第４の燃料噴射終了時期ＥＯＩ４を設定する。
【００７０】
（Ｅ）のタイミング後、設定されたＳＯＩ１、ＥＯＩ１、ＳＯＩ２、ＥＯＩ３、ＥＯＩ４から各燃料噴射に対する噴射期間ＤＯＩ１〜ＤＯＩ４を求め、次サイクルにおいて、設定された燃料噴射時期、燃料噴射期間によって、第１および第２の燃料噴射弁１４ｂが制御される。これにより、偏向および分布のムラの抑制を狙った燃料噴射をすることで、筒内における混合気をより均質にすることができ、その結果排ガス、燃費、およびドラビリの向上が可能となる。
【００７１】
以上詳述したように、実施の形態１に係る内燃機関の燃料噴射制御装置によれば、吸気行程噴射モードにおいて、吸気バルブ開弁中に変化する吸気バルブ通過流速に応じて、第１の燃料噴射によって吹き戻し期間中に噴霧を吸気バルブ近傍に滞留させて吹き戻し終了後に素早く筒内に流入させ、第２の燃料噴射によって吸気バルブ中心から外した方向に噴射して強い流動で噴霧を吸気バルブ中心へと導くことで筒内への混合気流入の偏りを抑制させ、第４の燃料噴射によって比較的弱まった流動によって吸気ポートに残留する燃料噴霧を抑制させることで各噴射時における混合気均質性を向上することができる。
【００７２】
また、吸気バルブ開弁中に偏りのないタイミングで第１、第２、第４の燃料噴射を実行する。このため、各噴射時に均質性が向上した混合気が偏りのないタイミングで筒内に流入させることができると共に、着火直前の筒内における混合気をより均質にすることができ、その結果排ガス、燃費、およびドラビリを向上することができる。
【００７３】
更に、第２の燃料噴射を第２および第３の燃料噴射とするように噴射のタイミングを２分割することで、吸気バルブ開弁中に更に偏りの少ないタイミングで混合気を筒内に流入させ、着火直前の筒内における混合気をより均質にすることができ、その結果排ガス、燃費、およびドラビリを向上することができる。
【００７４】
なお、上記においてこの発明の実施の形態１に係る内燃機関の燃料噴射制御装置について説明したが、この発明は、その発明の範囲内において、実施の形態を適宜、変形、省略することが可能である。
【符号の説明】
【００７５】
１  エンジン、２  シリンダ、３  ピストン、４  燃焼室、５  クランク軸、６  クランク角センサ、７  水温センサ、８  吸気マニホールド、８ａ  第１の吸気ポート、８ｂ  第２の吸気ポート、９  排気マニホールド、１０  吸気バルブ、１１  排気バルブ、１２
吸気可変バルブ機構、１３  排気可変バルブ機構、１４  燃料噴射弁、１４ａ  第１の燃料噴射弁、１４ｂ  第２の燃料噴射弁、１５  点火プラグ、１６  点火コイル、１７  サージタンク、１８  スロットルバルブ、１９  ブースト圧センサ、２０  ＥＣＵ、２１
吸気バルブ通過流速推定手段、２２  噴霧滞留噴射開始時期算出手段、２３  噴霧偏向開始時期算出手段、２４  噴霧流入最終時期算出手段、２５  吸気バルブ通過高流速時期算出手段、２６  吸気バルブ通過高流速終了時期算出手段、２７  第１燃料噴射弁噴射制御手段、２８  第２燃料噴射弁噴射制御手段
【図１】
2018168708.tif 000003
【図２】
2018168708.tif 000004
【図３】
2018168708.tif 000005
【図４】
2018168708.tif 000006
【図５】
2018168708.tif 000007
【図６】
2018168708.tif 000008
【図７】
2018168708.tif 000009
【図８】
2018168708.tif 000010
【図９】
2018168708.tif 000011
【図１０】
2018168708.tif 000012
【図１１】
2018168708.tif 000013